(57)【要約】【課題】ウェブページごとのアクセス数を適度に調整するための方策が簡単に実行できるシステムを提供する。【解決手段】ユーザが、ウェブページ公開部１４２により公開された複数のウェブページのうち、他のウェブページよりアクセス数を減らしたいウェブページがある場合、キーワード補正部１４３は、そのウェブページを対象ページとしてユーザに指定させる。そして、キーワード補正部１４３は、対象ページの＜ｍｅｔａ＞タグに埋め込まれたキーワードを上位概念のキーワードに変更する。例えば、対象ページの＜ｍｅｔａ＞タグに、「エレベータ」というキーワードが埋め込まれていた場合、これを「ビル設備」に変更する。【選択図】図２
2010237903.tif 000002
【特許請求の範囲】
【請求項１】
複数のタグを用いるマークアップ言語で記述されたウェブページを作成するウェブページ作成装置であって、
任意のコンテンツと当該コンテンツに対応する１つ以上のキーワードとをユーザに入力させ、当該コンテンツを含むウェブページであって所定のタグに当該キーワードを埋め込んだウェブページを処理装置により作成するウェブページ作成部と、
前記ウェブページ作成部によりウェブページが作成される度に、インターネットに接続されたウェブサーバに当該ウェブページを通信装置によりアップロードして公開するウェブページ公開部と、
前記ウェブページ公開部により公開された複数のウェブページのうち、他のウェブページよりアクセス数を減らしたいウェブページを対象ページとしてユーザに指定させ、当該対象ページの前記所定のタグに埋め込まれたキーワードを処理装置により補正するキーワード補正部とを備えることを特徴とするウェブページ作成装置。
【請求項２】
前記キーワード補正部は、前記対象ページの前記所定のタグに埋め込まれたキーワードを上位概念のキーワードに変更することを特徴とする請求項１に記載のウェブページ作成装置。
【請求項３】
前記キーワード補正部は、前記対象ページをユーザに２つ以上指定させ、当該２つ以上の対象ページの前記所定のタグに埋め込まれたキーワードを一括して共通のキーワードに変更することを特徴とする請求項１又は２に記載のウェブページ作成装置。
【請求項４】
前記キーワード補正部は、前記対象ページをユーザに２つ以上指定させ、当該２つ以上の対象ページの前記所定のタグに埋め込まれたキーワードを一括して削除することを特徴とする請求項１から３までのいずれかに記載のウェブページ作成装置。
【請求項５】
前記キーワード補正部は、前記ウェブページ公開部により公開された複数のウェブページのうち、前記対象ページとともに、前記対象ページのアクセス数を減らしたい度合を示すレベルをユーザに指定させ、前記対象ページの前記所定のタグに埋め込まれたキーワードを当該レベルに応じて補正することを特徴とする請求項１から４までのいずれかに記載のウェブページ作成装置。
【請求項６】
前記ウェブページ作成部は、前記レベルごとに前記所定のタグに埋め込むキーワードを定義する定義情報を予め記憶装置に記憶しており、前記キーワードをユーザに入力させる代わりに、前記レベルをユーザに指定させ、ユーザが指定したレベルに対応する定義情報を記憶装置から読み取り、読み取った定義情報で定義されたキーワードを前記所定のタグに埋め込んだウェブページを作成し、
前記キーワード補正部は、ユーザが指定したレベルに対応する定義情報を記憶装置から読み取り、前記対象ページの前記所定のタグに埋め込まれたキーワードを、読み取った定義情報で定義されたキーワードに変更することを特徴とする請求項５に記載のウェブページ作成装置。
【請求項７】
前記定義情報は、さらに、前記レベルごとに前記複数のタグのうち前記所定のタグとして利用するタグを定義する情報であり、
前記ウェブページ作成部は、読み取った定義情報で定義されたキーワードを当該定義情報で定義されたタグに埋め込んだウェブページを作成することを特徴とする請求項６に記載のウェブページ作成装置。
【請求項８】
前記所定のタグは、ウェブページのコンテンツのメタ情報を定義するメタタグと、ウェブページのタイトルを定義するタイトルタグと、ウェブページのコンテンツの見出しを定義する見出しタグと、ウェブページのコンテンツに含まれる語句を強調して表示するための強調タグとのうち、少なくともいずれかのタグであることを特徴とする請求項１から７までのいずれかに記載のウェブページ作成装置。
【請求項９】
前記ウェブページ作成装置は、さらに、
前記対象ページのレイアウトを、１つ以上のフレームで構成したレイアウトに処理装置により変更するレイアウト補正部を備えることを特徴とする請求項１から８までのいずれかに記載のウェブページ作成装置。
【請求項１０】
前記キーワード補正部は、前記対象ページをユーザに２つ以上指定させ、当該２つ以上の対象ページの前記所定のタグに埋め込まれたキーワードを補正し、
前記ウェブページ作成装置は、さらに、
前記２つ以上の対象ページを、より少数のウェブページに処理装置により統合するウェブページ統合部を備えることを特徴とする請求項１から９までのいずれかに記載のウェブページ作成装置。
【請求項１１】
前記ウェブページ作成部は、ウェブページが登録されるインターネット上のウェブサイトであるウェブディレクトリに、作成したウェブページを登録するためのウェブディレクトリ登録情報を処理装置により作成してユーザに出力することを特徴とする請求項１から１０までのいずれかに記載のウェブページ作成装置。
【請求項１２】
複数のタグを用いるマークアップ言語で記述されたウェブページを作成するウェブページ作成プログラムであって、
任意のコンテンツと当該コンテンツに対応する１つ以上のキーワードとをユーザに入力させ、当該コンテンツを含むウェブページであって所定のタグに当該キーワードを埋め込んだウェブページを処理装置により作成するウェブページ作成処理と、
前記ウェブページ作成処理によりウェブページが作成される度に、インターネットに接続されたウェブサーバに当該ウェブページを通信装置によりアップロードして公開するウェブページ公開処理と、
前記ウェブページ公開処理により公開された複数のウェブページのうち、他のウェブページよりアクセス数を減らしたいウェブページを対象ページとしてユーザに指定させ、当該対象ページの前記所定のタグに埋め込まれたキーワードを処理装置により補正するキーワード補正処理とをコンピュータに実行させることを特徴とするウェブページ作成プログラム。
【発明の詳細な説明】
【技術分野】
【０００１】
本発明は、ウェブページ作成装置及びウェブページ作成プログラムに関するものである。
【背景技術】
【０００２】
ウェブサイトを構築する際には、複数のウェブページのコンテンツを制作し、各ウェブページのレイアウトやデザインを設定し、ウェブページ間でリンクを設定する等、様々な作業を行う必要がある。また、ウェブサイトを構築した後も、ウェブページの追加、更新、削除等、メンテナンスの作業を行う必要がある。このような作業を効率化するために、ＣＭＳ（コンテンツ管理システム）が利用されている（例えば、特許文献１参照）。ＣＭＳでは、ウェブページを構成するＨＴＭＬ（ＨｙｐｅｒＴｅｘｔ・Ｍａｒｋｕｐ・Ｌａｎｇｕａｇｅ）データ、ＸＭＬ（ｅＸｔｅｎｓｉｂｌｅ・Ｍａｒｋｕｐ・Ｌａｎｇｕａｇｅ）データ、画像等の素材データ、ＣＳＳ（Ｃａｓｃａｄｉｎｇ・Ｓｔｙｌｅ・Ｓｈｅｅｔｓ）等のデザインデータ等がデータベースに保存され、一元管理される。
【０００３】
ユーザは、ウェブサイトで公開されているウェブページに、ＵＲＬ（Ｕｎｉｆｏｒｍ・Ｒｅｓｏｕｒｃｅ・Ｌｏｃａｔｏｒ）を直接指定して、あるいは、他のウェブページにあるリンクを辿ってアクセスする。ユーザは、検索エンジンの検索結果ページに表示されたリンク一覧から任意のリンクを選んで、そのリンク先のウェブページにアクセスする場合もある。この場合、通常は、リンク一覧の上位に表示されるものほどアクセスされやすい。そのため、ウェブサイトの構築時あるいはメンテナンス時において、ＳＥＯ（Ｓｅａｒｃｈ・Ｅｎｇｉｎｅ・Ｏｐｔｉｍｉｚａｔｉｏｎ）が行われている（例えば、特許文献２参照）。ＳＥＯでは、個別のウェブページについて、そのウェブページへのリンクが検索結果ページでより上位に表示されるように、メタタグやタイトルタグ等の設定、キーワード出現率やキーワード出現数、フレームの有無、外部から張られているリンクの数等が調整される。
【先行技術文献】
【特許文献】
【０００４】
【特許文献１】特開２００８−２６９７２号公報
【特許文献２】特開２００５−２０２７８３号公報
【発明の概要】
【発明が解決しようとする課題】
【０００５】
従来、ウェブページへのアクセス数を増やすことを目的としてＳＥＯが行われていたが、ウェブページへのアクセス数を減らしたい場合や同じウェブサイト内でウェブページによってアクセス数の多寡を調整したい場合に簡単にとれる方策がなかった。
【０００６】
本発明は、例えば、ウェブページごとのアクセス数を適度に調整するための方策が簡単に実行できるシステムを提供することを目的とする。
【課題を解決するための手段】
【０００７】
本発明の一の態様に係るウェブページ作成装置は、
複数のタグを用いるマークアップ言語で記述されたウェブページを作成するウェブページ作成装置であって、
任意のコンテンツと当該コンテンツに対応する１つ以上のキーワードとをユーザに入力させ、当該コンテンツを含むウェブページであって所定のタグに当該キーワードを埋め込んだウェブページを処理装置により作成するウェブページ作成部と、
前記ウェブページ作成部によりウェブページが作成される度に、インターネットに接続されたウェブサーバに当該ウェブページを通信装置によりアップロードして公開するウェブページ公開部と、
前記ウェブページ公開部により公開された複数のウェブページのうち、他のウェブページよりアクセス数を減らしたいウェブページを対象ページとしてユーザに指定させ、当該対象ページの前記所定のタグに埋め込まれたキーワードを処理装置により補正するキーワード補正部とを備えることを特徴とする。
【０００８】
前記キーワード補正部は、前記対象ページの前記所定のタグに埋め込まれたキーワードを上位概念のキーワードに変更することを特徴とする。
【０００９】
前記キーワード補正部は、前記対象ページをユーザに２つ以上指定させ、当該２つ以上の対象ページの前記所定のタグに埋め込まれたキーワードを一括して共通のキーワードに変更することを特徴とする。
【００１０】
前記キーワード補正部は、前記対象ページをユーザに２つ以上指定させ、当該２つ以上の対象ページの前記所定のタグに埋め込まれたキーワードを一括して削除することを特徴とする。
【００１１】
前記キーワード補正部は、前記ウェブページ公開部により公開された複数のウェブページのうち、前記対象ページとともに、前記対象ページのアクセス数を減らしたい度合を示すレベルをユーザに指定させ、前記対象ページの前記所定のタグに埋め込まれたキーワードを当該レベルに応じて補正することを特徴とする。
【００１２】
前記ウェブページ作成部は、前記レベルごとに前記所定のタグに埋め込むキーワードを定義する定義情報を予め記憶装置に記憶しており、前記キーワードをユーザに入力させる代わりに、前記レベルをユーザに指定させ、ユーザが指定したレベルに対応する定義情報を記憶装置から読み取り、読み取った定義情報で定義されたキーワードを前記所定のタグに埋め込んだウェブページを作成し、
前記キーワード補正部は、ユーザが指定したレベルに対応する定義情報を記憶装置から読み取り、前記対象ページの前記所定のタグに埋め込まれたキーワードを、読み取った定義情報で定義されたキーワードに変更することを特徴とする。
【００１３】
前記定義情報は、さらに、前記レベルごとに前記複数のタグのうち前記所定のタグとして利用するタグを定義する情報であり、
前記ウェブページ作成部は、読み取った定義情報で定義されたキーワードを当該定義情報で定義されたタグに埋め込んだウェブページを作成することを特徴とする。
【００１４】
前記所定のタグは、ウェブページのコンテンツのメタ情報を定義するメタタグと、ウェブページのタイトルを定義するタイトルタグと、ウェブページのコンテンツの見出しを定義する見出しタグと、ウェブページのコンテンツに含まれる語句を強調して表示するための強調タグとのうち、少なくともいずれかのタグであることを特徴とする。
【００１５】
前記ウェブページ作成装置は、さらに、
前記対象ページのレイアウトを、１つ以上のフレームで構成したレイアウトに処理装置により変更するレイアウト補正部を備えることを特徴とする。
【００１６】
前記キーワード補正部は、前記対象ページをユーザに２つ以上指定させ、当該２つ以上の対象ページの前記所定のタグに埋め込まれたキーワードを補正し、
前記ウェブページ作成装置は、さらに、
前記２つ以上の対象ページを、より少数のウェブページに処理装置により統合するウェブページ統合部を備えることを特徴とする。
【００１７】
前記ウェブページ作成部は、ウェブページが登録されるインターネット上のウェブサイトであるウェブディレクトリに、作成したウェブページを登録するためのウェブディレクトリ登録情報を処理装置により作成してユーザに出力することを特徴とする。
【００１８】
本発明の一の態様に係るウェブページ作成プログラムは、
複数のタグを用いるマークアップ言語で記述されたウェブページを作成するウェブページ作成プログラムであって、
任意のコンテンツと当該コンテンツに対応する１つ以上のキーワードとをユーザに入力させ、当該コンテンツを含むウェブページであって所定のタグに当該キーワードを埋め込んだウェブページを処理装置により作成するウェブページ作成処理と、
前記ウェブページ作成処理によりウェブページが作成される度に、インターネットに接続されたウェブサーバに当該ウェブページを通信装置によりアップロードして公開するウェブページ公開処理と、
前記ウェブページ公開処理により公開された複数のウェブページのうち、他のウェブページよりアクセス数を減らしたいウェブページを対象ページとしてユーザに指定させ、当該対象ページの前記所定のタグに埋め込まれたキーワードを処理装置により補正するキーワード補正処理とをコンピュータに実行させることを特徴とする。
【発明の効果】
【００１９】
本発明の一の態様によれば、ウェブページ作成装置において、キーワード補正部が、他のウェブページよりアクセス数を減らしたいウェブページの所定のタグに埋め込まれたキーワードを補正することにより、ウェブページごとのアクセス数を適度に調整するための方策が簡単に実行できる。
【図面の簡単な説明】
【００２０】
【図１】実施の形態１に係るウェブサイトシステムの構成を示すブロック図である。
【図２】実施の形態１に係るウェブページ作成装置の構成を示すブロック図である。
【図３】実施の形態１に係るウェブページ作成装置のハードウェア構成の一例を示す図である。
【図４】実施の形態１に係るウェブページ作成装置の動作を示すフローチャートである。
【図５】実施の形態１に係るウェブページ作成装置の動作を示すフローチャートである。
【発明を実施するための形態】
【００２１】
以下、本発明の実施の形態について、図を用いて説明する。
【００２２】
実施の形態１．
図１は、本実施の形態に係るウェブサイトシステム１００の構成を示すブロック図である。
【００２３】
図１において、ウェブサイトシステム１００は、ウェブページ作成装置１０１、ウェブサーバ１０２、管理者端末１０３を備える。なお、ウェブページ作成装置１０１、ウェブサーバ１０２、管理者端末１０３は、それぞれ複数存在していても構わない。
【００２４】
ウェブページ作成装置１０１、ウェブサーバ１０２、管理者端末１０３は、ＬＡＮ（Ｌｏｃａｌ・Ａｒｅａ・Ｎｅｔｗｏｒｋ）等を介して互いに通信する。
【００２５】
ウェブサーバ１０２は、インターネット１０４を介してＧｏｏｇｌｅ（登録商標）やＹａｈｏｏ！（登録商標）等の検索エンジン１０５からアクセスされる。検索エンジン１０５は、一般利用者がアクセスして、検索キーワードを入力すると、適合するウェブサイトをランキング表示するインターネット１０４上のウェブサイトである。利用者が検索エンジン１０５の検索結果ページにてウェブサイトへのリンクをクリックすると、そのウェブサイトへ移動できる。
【００２６】
管理者端末１０３は、インターネット１０４を介してｄｍｏｚ等のウェブディレクトリ１０６にアクセスする。ウェブディレクトリ１０６は、ウェブサイトを登録するためのインターネット１０４上のウェブサイトである。
【００２７】
ウェブページ作成装置１０１は、管理者端末１０３により入力されるコンテンツ及び設定情報等を用いてウェブページ１１１を作成し、ウェブサーバ１０２にアップロードしてインターネット１０４で公開する。つまり、ウェブページ作成装置１０１は、ウェブサイトを提供する。また、ウェブページ作成装置１０１は、既に公開中のウェブページ１１１を更新及び削除する。つまり、ウェブページ作成装置１０１は、ウェブサイトを管理する。
【００２８】
ここで、ウェブページ１１１は、ＨＴＭＬ等、複数のタグを用いるマークアップ言語で記述された文書である。ウェブページ１１１には、画像等の素材、ＣＳＳ等のスタイルシート等も含まれる。
【００２９】
ウェブページ作成装置１０１は、ウェブページ１１１を作成又は更新する際に、そのウェブページ１１１（正確には、そのウェブページ１１１へのリンクであるが、以下では省略して記載する）が検索エンジン１０５の検索結果ページでより上位に表示されることを目的として、タグの設定、キーワード出現率やキーワード出現数、フレームの有無等を自動的に調整する。つまり、ウェブページ作成装置１０１は、ＳＥＯを自動的に行う。また、ウェブページ作成装置１０１は、ウェブページ１１１を作成又は更新する際に、上記と逆の目的で、即ち、そのウェブページ１１１が検索エンジン１０５の検索結果ページでより下位に表示されることを目的として、タグの設定、キーワード出現率やキーワード出現数、フレームの有無等を自動的に調整することもできる。つまり、ウェブページ作成装置１０１は、逆ＳＥＯを自動的に行うこともできる。以下では、ＳＥＯ又は逆ＳＥＯを行う度合をＳＥＯレベルという。ＳＥＯレベルが高ければ高いほど、ウェブページ１１１が検索エンジン１０５の検索結果ページで上位に表示されることが期待される。一方、ＳＥＯレベルが低ければ低いほど、ウェブページ１１１が検索エンジン１０５の検索結果ページで下位に表示されることが期待される。したがって、ＳＥＯレベルを制御することで、ウェブページ１１１のアクセス数を調整することができる。
【００３０】
ウェブページ作成装置１０１は、コンテンツ作成機能１２１、ＳＥＯパラメータ設定機能１２２、ＳＥＯパラメータ反映機能１２３、ウェブディレクトリ登録情報生成機能１２４、コンテンツウェブサーバ展開機能１２５を有する。
【００３１】
コンテンツ作成機能１２１は、コンテンツＨＴＭＬ１３１、コンテンツＸＭＬ１３２、コンテンツ素材１３３、スタイルシート１３４等の入力を管理者端末１０３から受け付け、これらのデータと予め用意されているテンプレート１３５（雛形）とを基にして、ウェブコンテンツを作成する機能である。
【００３２】
ここで、コンテンツＨＴＭＬ１３１は、一般的なＨＴＭＬ形式（．ｈｔｍｌ又は．ｈｔｍ）で記述されたウェブコンテンツ（ＨＴＭＬデータ）である。コンテンツＸＭＬ１３２は、一般的なＸＭＬ形式（．ｘｍｌ）で記述されたウェブコンテンツ（ＸＭＬデータ）である。コンテンツ素材１３３は、ウェブコンテンツの素材となる文書（テキスト）素材、画像素材、動画素材等（素材データ）である。スタイルシート１３４は、ＣＳＳ等、ウェブコンテンツの要素の装飾やウェブコンテンツのレイアウトを定めた情報（デザインデータ）である。テンプレート１３５は、ＨＴＭＬデータ、ＸＭＬデータ、素材データ、デザインデータ等の定型のデータ（例えば、ウェブサイトのロゴやメニューの表示等に係るデータ）である。つまり、テンプレート１３５は、管理者端末１０３から入力されるコンテンツＨＴＭＬ１３１、コンテンツＸＭＬ１３２、コンテンツ素材１３３、スタイルシート１３４等と同様の形式のデータである。
【００３３】
ＳＥＯパラメータ設定機能１２２は、コンテンツ作成機能１２１の後に、管理者端末１０３からＳＥＯに関する設定情報の入力を受け付け、入力された設定情報を基に、適切なＳＥＯパラメータ１３６を設定する機能である。
【００３４】
ここで、ＳＥＯパラメータ１３６は、以下の要素からなるパラメータであり、ウェブページ１１１ごとに設定される。
【００３５】
（１）ページＵＲＬ：ウェブページ１１１のＵＲＬを示す（例えば、「ｈｔｔｐ：／／ｗｗｗ．ｘｙｚ．ｃｏ．ｊｐ／ｂｕｓｉｎｅｓｓ／ｅｌｅｖａｔｏｒ／ａａ−１２／ｉｎｄｅｘ．ｈｔｍｌ」等）。
【００３６】
（２）ページキーワード：ウェブページ１１１のメタ情報を定義するメタタグ（ＨＴＭＬの場合、＜ｍｅｔａ＞）に設定したキーワードを示す（例えば、「ＸＹＺ社」、「法人向け製品」、「エレベータ」、「ＡＡ−１２」、「機械室レス」等）。例えば、重要なものから、１０個まで設定可能とする。検索エンジン１０５は、検索結果ページにて、検索キーワードと一致するキーワードがメタタグに設定されている（当該キーワードがメタタグに埋め込まれている）ウェブページ１１１を、そうでないものより上位に表示すると考えられる。
【００３７】
（３）タイトルタグ設定内容：ウェブページ１１１のタイトルを定義するタイトルタグ（ＨＴＭＬの場合、＜ｔｉｔｌｅ＞）に設定した文字列を示す（例えば、「ＸＹＺ社のエレベータＡＡ−１２のページ」等）。検索エンジン１０５は、検索結果ページにて、検索キーワードと一致するキーワードがタイトルタグに設定された文字列に含まれている（当該キーワードがタイトルタグに埋め込まれている）ウェブページ１１１を、そうでないものより上位に表示すると考えられる。
【００３８】
（４）タイトルタグキーワード使用率：ウェブページ１１１のタイトルタグに設定した文字列にキーワードが含まれる割合（即ち、キーワード文字数／全体文字数）を示す（例えば、７４％等）。
【００３９】
（５）見出しタグ設定内容：ウェブページ１１１のコンテンツの見出しを定義する見出しタグ（ＨＴＭＬの場合、＜ｈ１＞から＜ｈ６＞まで）に設定した文字列を示す（例えば、＜ｈ１＞を「ＸＹＺ社のエレベータＡＡ−１２」、＜ｈ２＞を「機械室レス」とする等）。検索エンジン１０５は、検索結果ページにて、検索キーワードと一致するキーワードが見出しタグに設定された文字列に含まれている（当該キーワードが見出しタグに埋め込まれている）ウェブページ１１１を、そうでないものより上位に表示すると考えられる。また、検索エンジン１０５は、検索結果ページにて、検索キーワードと一致するキーワードが上位の階層の見出しタグに設定された文字列に含まれているウェブページ１１１ほど、上位に表示すると考えられる（例えば、同じキーワードが＜ｈ１＞に埋め込まれているウェブページ１１１と＜ｈ２＞に埋め込まれているウェブページ１１１とでは、前者の方が上位に表示されると考えられる）。また、検索エンジン１０５は、検索結果ページにて、見出しタグの階層が多いウェブページ１１１ほど、上位に表示すると考えられる（例えば、＜ｈ１＞のみを含むウェブページ１１１より＜ｈ１＞及び＜ｈ２＞を含むウェブページ１１１の方が上位に表示されると考えられる）。
【００４０】
（６）見出しタグキーワード使用率：ウェブページ１１１の見出しタグに設定した文字列にキーワードが含まれる割合（即ち、キーワード文字数／全体文字数）を示す（例えば、９３％等）。
【００４１】
（７）強調タグ設定内容：ウェブページ１１１のコンテンツに含まれる語句を強調して表示するための強調タグ（ＨＴＭＬの場合、＜ｓｔｒｏｎｇ＞や＜ｅｍ＞等）に設定した文字列を示す（例えば、「ＡＡ−１２は機械室レスのエレベータです」を＜ｓｔｒｏｎｇ＞とする等）。検索エンジン１０５は、検索結果ページにて、検索キーワードと一致するキーワードが強調タグに設定された文字列に含まれている（当該キーワードが強調タグに埋め込まれている）ウェブページ１１１を、そうでないものより上位に表示すると考えられる。
【００４２】
（８）強調タグキーワード使用率：ウェブページ１１１の強調タグに設定した文字列にキーワードが含まれる割合（即ち、キーワード文字数／全体文字数）を示す（例えば、７９％等）。
【００４３】
（９）フレーム有無：ウェブページ１１１のレイアウトが１つ以上のフレームで構成したものであるか否かを示す。検索エンジン１０５は、検索結果ページにて、フレームがないウェブページ１１１を、フレームがあるものより上位に表示すると考えられる。
【００４４】
（１０）ページ構成・ディレクトリ構成チェック率：ウェブサイトのアクセシビリティの評価項目のうち、該当する項目の割合を示す（例えば、５０％等）。評価項目としては、例えば、製品ごとにウェブページ１１１が分けられているか等がある。検索エンジン１０５は、検索結果ページにて、アクセシビリティの評価項目に該当する割合が高いウェブページ１１１を、アクセシビリティの評価項目に該当する割合が低いものより上位に表示すると考えられる。
【００４５】
（１１）リンク数：外部からのリンク数を示す（例えば、１０等）。検索エンジン１０５は、検索結果ページにて、外部からのリンク数が多いウェブページ１１１を、外部からのリンク数が少ないものより上位に表示すると考えられる。
【００４６】
管理者端末１０３のユーザは、ＳＥＯパラメータ設定機能１２２を利用して、少なくとも（１）ページＵＲＬ、（２）ページキーワード、（３）タイトルタグ設定内容、（５）見出しタグ設定内容、（７）強調タグ設定内容、（９）フレーム有無を自由に設定することができる。例えば、（３）タイトルタグ設定内容が設定されると、ＳＥＯパラメータ設定機能１２２により、その都度、（４）タイトルタグキーワード使用率が算出され、管理者端末１０３のユーザに対して出力される。これにより、管理者端末１０３のユーザは、（４）タイトルタグキーワード使用率を確認しながら、（３）タイトルタグ設定内容を設定し直すことができるため、ＳＥＯレベルを上げたり下げたりする作業の効率化が図れる。同様に、（５）見出しタグ設定内容や（７）強調タグ設定内容が設定されると、ＳＥＯパラメータ設定機能１２２により、その都度、（６）見出しタグキーワード使用率や（８）強調タグキーワード使用率が算出され、管理者端末１０３のユーザに対して出力される。これにより、管理者端末１０３のユーザは、（６）見出しタグキーワード使用率や（８）強調タグキーワード使用率を確認しながら、（５）見出しタグ設定内容や（７）強調タグ設定内容を設定し直すことができるため、ＳＥＯレベルを上げたり下げたりする作業の効率化が図れる。
【００４７】
ＳＥＯパラメータ反映機能１２３は、ＳＥＯパラメータ設定機能１２２で設定されるＳＥＯパラメータ１３６を、コンテンツ作成機能１２１で作成されたウェブコンテンツに対して反映する機能である。
【００４８】
ウェブディレクトリ登録情報生成機能１２４は、ＳＥＯパラメータ設定機能１２２で設定されるＳＥＯパラメータ１３６に基づき、ウェブディレクトリ登録情報１３７を生成する機能である。ウェブディレクトリ登録情報生成機能１２４で生成されたウェブディレクトリ登録情報１３７は、管理者端末１０３によってインターネット１０４経由で外部のウェブディレクトリ１０６に登録される。検索エンジン１０５は、検索結果ページにて、ウェブディレクトリ１０６に登録されているウェブページ１１１を、ウェブディレクトリ１０６に登録されていないものより上位に表示すると考えられる。
【００４９】
ここで、ウェブディレクトリ登録情報１３７は、以下の要素からなる情報であり、登録したいウェブページ１１１（通常は、ウェブサイトのトップページ等）のみについて設定される。
（１）カテゴリ：選択するウェブディレクトリ１０６のカテゴリの階層を示す。
（２）ウェブサイトのＵＲＬ：登録したいウェブページ１１１のＵＲＬを示す。
（３）ウェブサイトのタイトル：登録したいウェブページ１１１のタイトルを示す。
（４）ウェブサイトの説明：登録したいウェブページ１１１の概要を示す。
（５）電子メールアドレス：管理者端末１０３のユーザの電子メールアドレスを示す。
【００５０】
コンテンツウェブサーバ展開機能１２５は、コンテンツ作成機能１２１、ＳＥＯパラメータ設定機能１２２、ＳＥＯパラメータ反映機能１２３で生成されたウェブコンテンツをウェブサーバ１０２に展開する機能である。
【００５１】
ウェブページ作成装置１０１は、ＳＥＯパラメータ１３６を変化させてＳＥＯレベルを「高」から「低」の間で調節することにより、目的とするウェブページ１１１に対するインターネット１０４上の検索エンジン１０５経由でのアクセス数を制御することができる。そのため、企業等は、ウェブサイトの構成を変えることによりウェブサイト内でユーザのアクセスをコントロールするだけではなく、アクセス数の大多数（５０％以上と言われる）を占める主要な検索エンジン１０５経由でのユーザのアクセスをコントロールすることも可能となる。
【００５２】
例えば、平常時において、ウェブサイトの全てのウェブページ１１１に多くのアクセスを集めたい場合、全てのウェブページ１１１のＳＥＯパラメータ１３６をＳＥＯレベルが「高」となるように設定することで、その効果を得ることができる。また、例えば、ウェブサイトの中で着目してほしいウェブページ１１１がある場合は、そのウェブページ１１１のＳＥＯパラメータ１３６をＳＥＯレベルが「高」となるように設定することで、目的とするウェブページ１１１にアクセスを集めることができる。一方、例えば、ウェブサイトの中で着目が不要なウェブページ１１１（枯れたページ、過去のページ）がある場合は、そのウェブページ１１１のＳＥＯパラメータ１３６をＳＥＯレベルが「低」となるように設定することで、目的とするウェブページ１１１にアクセスが集まらないようにすることができる。また、例えば、緊急時（例えば、不祥事があった場合）には、ウェブサイトのトップページをお詫びページに差し替えた上で、トップページのＳＥＯパラメータ１３６をＳＥＯレベルが「高」となるように設定するとともに、他のウェブページ１１１のＳＥＯパラメータ１３６をＳＥＯレベルが「低」となるように設定することで、状況に合ったアクセスのコントロールが可能となる。
【００５３】
ウェブページ作成装置１０１は、上記のような機能をＣＭＳ（コンテンツ管理システム）に付加して実装することが可能である。この場合、コンテンツ作成機能１２１、コンテンツウェブサーバ展開機能１２５としては、ＣＭＳに元から実装されている機能を利用できる。ＳＥＯパラメータ設定機能１２２、ＳＥＯパラメータ反映機能１２３によるＳＥＯパラメータ１３６の設定にあたっては、コンテンツ作成機能１２１で用いられるテンプレート１３５と同様に、ＳＥＯパラメータ１３６の雛形を用意しておいてもよい。この場合、雛形を用いることで、コンテンツを生成するユーザは、自分の生成したいコンテンツの内容以外のＳＥＯに関する設定変更を、ほとんど意識することなくウェブコンテンツにＳＥＯパラメータ１３６を付加して、適切にアクセスをコントロールすることができる。
【００５４】
ＳＥＯパラメータ１３６の雛形を用意しておく場合、管理者等が、ウェブページ１１１ごと、あるいは、ウェブページ１１１のグループごとに、ＳＥＯレベルの各段階（「高」、「中」、「低」等）について、ＳＥＯパラメータ１３６の雛形を予め定義しておく。ウェブページ作成装置１０１は、ＳＥＯパラメータ１３６の雛形の定義情報を記憶装置１５２に記憶する。管理者端末１０３のユーザがＳＥＯパラメータ１３６を設定する際に、ウェブページ作成装置１０１は、ＳＥＯパラメータ設定機能１２２により、管理者端末１０３のユーザにＳＥＯレベルを選択させる。そして、ＳＥＯパラメータ設定機能１２２により、記憶装置１５２に記憶された定義情報を参照し、管理者端末１０３のユーザが選択したＳＥＯレベルに対応するＳＥＯパラメータ１３６の雛形を特定する。ウェブページ作成装置１０１は、ＳＥＯパラメータ設定機能１２２により、特定した雛形の通りにＳＥＯパラメータ１３６を設定する。これにより、管理者端末１０３のユーザが、ＳＥＯパラメータ１３６を一つ一つ決定し、一つ一つ設定していくという煩雑な作業を行う必要がなくなるため、利便性が向上する。また、ウェブページ１１１のグループごとにＳＥＯパラメータ１３６の雛形が定義されている場合には、同じグループに属する複数のウェブページ１１１について、ＳＥＯパラメータ１３６を一括して設定でき、さらには、ＳＥＯパラメータ１３６を一括して切り替えることも可能となる。ＳＥＯパラメータ１３６を切り替えると、各ウェブページ１１１が更新されるが、このとき、ＣＭＳの機能によってウェブページ１１１の更新履歴が残る。そのため、管理者端末１０３のユーザは、あるグループに属する複数のウェブページ１１１について、一括してＳＥＯパラメータ１３６を切り替えた後、それらのウェブページ１１１を、ＳＥＯパラメータ１３６の切り替え前の状態に一斉に戻すといった処理を行うこともできる。
【００５５】
このように、本実施の形態では、ウェブページ作成装置１０１が、ＣＭＳのテンプレート機能と同様の機能により設定値を変更することで、制作されるウェブコンテンツのＳＥＯレベルを調節する。ＳＥＯレベルには、本来のＳＥＯを目的とするレベルと、本来のＳＥＯとは逆の目的をもつ逆ＳＥＯのレベルとがある。提供するウェブコンテンツのＳＥＯレベルを、ウェブコンテンツごとに意図的に指定することで、ウェブサイトの閲覧ユーザを、見てほしいページ（例えば、注目製品の紹介ページ等）に誘導することができる。また、逆に、見てほしくないページ（廃版となる予定の製品や不良製品の紹介ページ等）に誘導しないようにすることができる。なお、単に閲覧ユーザを見てほしくないページに誘導しないようにするには、そのページを削除するという方法をとることも可能である。しかしながら、製品の紹介ページ等は外部のウェブサイトからリンクされていることが多いため、安易に削除できない場合がある。このような場合、本実施の形態では、見てほしくないページを削除するのではなく、逆ＳＥＯを行うことによって、そのページへのアクセス数を減らすことができるため、上記方法に対して有効な効果を得られる。また、本実施の形態によれば、ウェブコンテンツを顧客（スポンサー）が提供している場合は、顧客からの収入に応じてＳＥＯレベルを調節することで、顧客のウェブサイトにユーザを誘導する度合を決めることもできる。
【００５６】
本実施の形態では、ウェブページ作成装置１０１が、ＣＭＳのテンプレート機能と同様の機能により設定値を変更することで、制作されるウェブコンテンツの目的を指定できるようにしてもよい。ウェブコンテンツの目的としては、通常コンテンツ、謝罪コンテンツ等がある。例えば、ウェブコンテンツの運用サイドにて、定期的又は緊急の工事を実施する際に、工事の対象とするウェブコンテンツの目的を謝罪コンテンツに指定すると、ウェブページ作成装置１０１は、工事の対象となるウェブコンテンツを謝罪コンテンツに入れ替えてＳＥＯレベルを「低」に調節する。これにより、着目される必要のないページのアクセス数を減らすための処理を迅速に効率的に行うことが可能となる。
【００５７】
図２は、ウェブページ作成装置１０１の構成を示すブロック図である。
【００５８】
図２において、ウェブページ作成装置１０１は、ウェブページ作成部１４１、ウェブページ公開部１４２、キーワード補正部１４３、レイアウト補正部１４４、ウェブページ統合部１４５を備える。ウェブページ作成部１４１は、コンテンツ作成機能１２１、ＳＥＯパラメータ設定機能１２２、ＳＥＯパラメータ反映機能１２３、ウェブディレクトリ登録情報生成機能１２４を有する。ウェブページ公開部１４２は、コンテンツウェブサーバ展開機能１２５を有する。キーワード補正部１４３、レイアウト補正部１４４、ウェブページ統合部１４５は、ＳＥＯパラメータ設定機能１２２、ＳＥＯパラメータ反映機能１２３それぞれの一部と同様の機能を有する。ウェブページ作成装置１０１の各部の動作については後述する。
【００５９】
また、ウェブページ作成装置１０１は、処理装置１５１、記憶装置１５２、通信装置１５３等のハードウェアを備える。ハードウェアはウェブページ作成装置１０１の各部によって利用される。例えば、処理装置１５１は、ウェブページ作成装置１０１の各部でデータや情報の演算、加工、読み取り、書き込み等を行うために利用される。記憶装置１５２は、ウェブページ作成装置１０１の各部でデータや情報（コンテンツＨＴＭＬ１３１、コンテンツＸＭＬ１３２、コンテンツ素材１３３、スタイルシート１３４、テンプレート１３５、ＳＥＯパラメータ１３６、ウェブディレクトリ登録情報１３７等）を記憶するために利用される。通信装置１５３は、ウェブページ作成装置１０１の各部でデータや情報を送受信するために利用される。
【００６０】
図３は、ウェブページ作成装置１０１のハードウェア構成の一例を示す図である。
【００６１】
図３において、ウェブページ作成装置１０１は、コンピュータであり、ＬＣＤ９０１（Ｌｉｑｕｉｄ・Ｃｒｙｓｔａｌ・Ｄｉｓｐｌａｙ）、キーボード９０２（Ｋ／Ｂ）、マウス９０３、ＦＤＤ９０４（Ｆｌｅｘｉｂｌｅ・Ｄｉｓｋ・Ｄｒｉｖｅ）、ＣＤＤ９０５（Ｃｏｍｐａｃｔ・Ｄｉｓｃ・Ｄｒｉｖｅ）、プリンタ９０６といったハードウェアデバイスを備えている。これらのハードウェアデバイスはケーブルや信号線で接続されている。ＬＣＤ９０１の代わりに、ＣＲＴ（Ｃａｔｈｏｄｅ・Ｒａｙ・Ｔｕｂｅ）、あるいは、その他の表示装置が用いられてもよい。マウス９０３の代わりに、タッチパネル、タッチパッド、トラックボール、ペンタブレット、あるいは、その他のポインティングデバイスが用いられてもよい。
【００６２】
ウェブページ作成装置１０１は、プログラムを実行するＣＰＵ９１１（Ｃｅｎｔｒａｌ・Ｐｒｏｃｅｓｓｉｎｇ・Ｕｎｉｔ）を備えている。ＣＰＵ９１１は、処理装置１５１の一例である。ＣＰＵ９１１は、バス９１２を介してＲＯＭ９１３（Ｒｅａｄ・Ｏｎｌｙ・Ｍｅｍｏｒｙ）、ＲＡＭ９１４（Ｒａｎｄｏｍ・Ａｃｃｅｓｓ・Ｍｅｍｏｒｙ）、通信ボード９１５、ＬＣＤ９０１、キーボード９０２、マウス９０３、ＦＤＤ９０４、ＣＤＤ９０５、プリンタ９０６、ＨＤＤ９２０（Ｈａｒｄ・Ｄｉｓｋ・Ｄｒｉｖｅ）と接続され、これらのハードウェアデバイスを制御する。ＨＤＤ９２０の代わりに、フラッシュメモリ、光ディスク装置、メモリカードリーダライタ又はその他の記憶媒体が用いられてもよい。
【００６３】
ＲＡＭ９１４は、揮発性メモリの一例である。ＲＯＭ９１３、ＦＤＤ９０４、ＣＤＤ９０５、ＨＤＤ９２０は、不揮発性メモリの一例である。これらは、記憶装置１５２の一例である。通信ボード９１５は、通信装置１５３の一例である。通信ボード９１５、キーボード９０２、マウス９０３、ＦＤＤ９０４、ＣＤＤ９０５は、入力装置の一例である。また、通信ボード９１５、ＬＣＤ９０１、プリンタ９０６は、出力装置の一例である。
【００６４】
通信ボード９１５は、ＬＡＮ等に接続されている。通信ボード９１５は、ＬＡＮに限らず、ＩＰ−ＶＰＮ（Ｉｎｔｅｒｎｅｔ・Ｐｒｏｔｏｃｏｌ・Ｖｉｒｔｕａｌ・Ｐｒｉｖａｔｅ・Ｎｅｔｗｏｒｋ）、広域ＬＡＮ、ＡＴＭ（Ａｓｙｎｃｈｒｏｎｏｕｓ・Ｔｒａｎｓｆｅｒ・Ｍｏｄｅ）ネットワークといったＷＡＮ（Ｗｉｄｅ・Ａｒｅａ・Ｎｅｔｗｏｒｋ）、あるいは、インターネット１０４に接続されていても構わない。ＬＡＮ、ＷＡＮ、インターネット１０４は、ネットワークの一例である。
【００６５】
ＨＤＤ９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。プログラム群９２３には、本実施の形態の説明において「〜部」として説明する機能を実行するプログラムが含まれている。プログラムは、ＣＰＵ９１１により読み出され実行される。ファイル群９２４には、本実施の形態の説明において、「〜データ」、「〜情報」、「〜ＩＤ（識別子）」、「〜フラグ」、「〜結果」として説明するデータや情報や信号値や変数値やパラメータが、「〜ファイル」や「〜データベース」や「〜テーブル」の各項目として含まれている。「〜ファイル」や「〜データベース」や「〜テーブル」は、ＲＡＭ９１４やＨＤＤ９２０等の記憶媒体に記憶される。ＲＡＭ９１４やＨＤＤ９２０等の記憶媒体に記憶されたデータや情報や信号値や変数値やパラメータは、読み書き回路を介してＣＰＵ９１１によりメインメモリやキャッシュメモリに読み出され、抽出、検索、参照、比較、演算、計算、制御、出力、印刷、表示といったＣＰＵ９１１の処理（動作）に用いられる。抽出、検索、参照、比較、演算、計算、制御、出力、印刷、表示といったＣＰＵ９１１の処理中、データや情報や信号値や変数値やパラメータは、メインメモリやキャッシュメモリやバッファメモリに一時的に記憶される。
【００６６】
本実施の形態の説明において用いるブロック図やフローチャートの矢印の部分は主としてデータや信号の入出力を示す。データや信号は、ＲＡＭ９１４等のメモリ、ＦＤＤ９０４のフレキシブルディスク（ＦＤ）、ＣＤＤ９０５のコンパクトディスク（ＣＤ）、ＨＤＤ９２０の磁気ディスク、光ディスク、ＤＶＤ（Ｄｉｇｉｔａｌ・Ｖｅｒｓａｔｉｌｅ・Ｄｉｓｃ）、あるいは、その他の記録媒体に記録される。また、データや信号は、バス９１２、信号線、ケーブル、あるいは、その他の伝送媒体により伝送される。
【００６７】
本実施の形態の説明において「〜部」として説明するものは、「〜回路」、「〜装置」、「〜機器」であってもよく、また、「〜ステップ」、「〜工程」、「〜手順」、「〜処理」であってもよい。即ち、「〜部」として説明するものは、ＲＯＭ９１３に記憶されたファームウェアで実現されていても構わない。あるいは、「〜部」として説明するものは、ソフトウェアのみ、あるいは、素子、デバイス、基板、配線といったハードウェアのみで実現されていても構わない。あるいは、「〜部」として説明するものは、ソフトウェアとハードウェアとの組み合わせ、あるいは、ソフトウェアとハードウェアとファームウェアとの組み合わせで実現されていても構わない。ファームウェアとソフトウェアは、プログラムとして、フレキシブルディスク、コンパクトディスク、磁気ディスク、光ディスク、ＤＶＤ等の記録媒体に記憶される。プログラムはＣＰＵ９１１により読み出され、ＣＰＵ９１１により実行される。即ち、プログラムは、本実施の形態の説明で述べる「〜部」としてコンピュータを機能させるものである。あるいは、プログラムは、本実施の形態の説明で述べる「〜部」の手順や方法をコンピュータに実行させるものである。
【００６８】
図４は、ウェブページ１１１を新規作成する際のウェブページ作成装置１０１の動作（本実施の形態に係るウェブページ作成方法、本実施の形態に係るウェブページ作成プログラムの処理手順）を示すフローチャートである。
【００６９】
図４のステップＳ１０１において、ウェブページ作成部１４１は、任意のコンテンツと当該コンテンツに対応する１つ以上のキーワードとを管理者端末１０３のユーザに入力させ、当該コンテンツを含むウェブページ１１１であって所定のタグに当該キーワードを埋め込んだ（タグ自体に属性値として埋め込まれる場合もあるし、タグでマークアップされた文字列に、その一部として埋め込まれる場合もある）ウェブページ１１１を処理装置１５１により作成する。例えば、ウェブページ作成部１４１は、コンテンツとともに、前述したＳＥＯパラメータ１３６のうち、少なくとも（１）ページＵＲＬ、（２）ページキーワード、（３）タイトルタグ設定内容、（５）見出しタグ設定内容、（７）強調タグ設定内容、（９）フレーム有無を、管理者端末１０３のユーザに入力させ、ＳＥＯパラメータ１３６を設定する。そして、ウェブページ作成部１４１は、入力されたコンテンツを含み、設定したＳＥＯパラメータ１３６を反映したウェブページ１１１を作成する。ここでは、管理者端末１０３のユーザが、コンテンツの例として、ＸＹＺ社のエレベータであるＡＡ−１２（製品名）に関するウェブページ１１１用のコンテンツＨＴＭＬ１３１、コンテンツＸＭＬ１３２、コンテンツ素材１３３、スタイルシート１３４を入力したこととする。また、管理者端末１０３のユーザが、ＵＲＬとして、「ｈｔｔｐ：／／ｗｗｗ．ｘｙｚ．ｃｏ．ｊｐ／ｂｕｓｉｎｅｓｓ／ｅｌｅｖａｔｏｒ／ａａ−１２／ｉｎｄｅｘ．ｈｔｍｌ」を入力したこととする。また、管理者端末１０３のユーザが、キーワードの例として、「ＸＹＺ社」、「法人向け製品」、「エレベータ」、「ＡＡ−１２」、「機械室レス」の５つを入力したこととする。これらのキーワードは、ＳＥＯパラメータ１３６の（２）、（３）、（５）、（７）のいずれにも利用できるものである。ＳＥＯパラメータ１３６の（２）、（３）、（５）、（７）のそれぞれについて、管理者端末１０３のユーザが別々にキーワードを入力することとしてもよいが、ここでは、ＳＥＯパラメータ１３６の（２）、（３）、（５）、（７）全体に対して、管理者端末１０３のユーザが複数のキーワードを入力し、ウェブページ作成部１４１がそれらのキーワードを自動的にＳＥＯパラメータ１３６の（２）、（３）、（５）、（７）に割り当てていくものとする。この場合、ウェブページ作成部１４１は、例えば、以下のようなウェブページ１１１を作成する。
（Ａ）ウェブページ１１１の具体的な内容は、ＸＹＺ社のエレベータであるＡＡ−１２を紹介するものとなっている。ウェブページ１１１のＵＲＬは、管理者端末１０３のユーザによって入力されたものに設定されている。即ち、ＳＥＯパラメータ１３６の（１）ページＵＲＬは、管理者端末１０３のユーザによって「ｈｔｔｐ：／／ｗｗｗ．ｘｙｚ．ｃｏ．ｊｐ／ｂｕｓｉｎｅｓｓ／ｅｌｅｖａｔｏｒ／ａａ−１２／ｉｎｄｅｘ．ｈｔｍｌ」に設定されている。
（Ｂ）ウェブページ１１１には、管理者端末１０３のユーザが入力したコンテンツＨＴＭＬ１３１、コンテンツＸＭＬ１３２、コンテンツ素材１３３（必要に応じて、各々のデータを所定の形式に変換したものでもよい）、及び、記憶装置１５２に予め記憶されているテンプレート１３５で構成されたウェブコンテンツが含まれている。ウェブコンテンツの要素の装飾やウェブコンテンツのレイアウトは、スタイルシート１３４に基づいて設定されている。なお、ＳＥＯパラメータ１３６の（１０）ページ構成・ディレクトリ構成チェック率は、ウェブページ作成部１４１によってウェブコンテンツから自動的に算出され、設定されている。
（Ｃ）ウェブページ１１１の＜ｍｅｔａ＞タグには、「ＸＹＺ社」、「法人向け製品」、「エレベータ」、「ＡＡ−１２」、「機械室レス」の５つのキーワードが埋め込まれている。即ち、ＳＥＯパラメータ１３６の（２）ページキーワードは、管理者端末１０３のユーザによって「ＸＹＺ社」、「法人向け製品」、「エレベータ」、「ＡＡ−１２」、「機械室レス」に設定されている。
（Ｄ）ウェブページ１１１の＜ｔｉｔｌｅ＞タグには、「ＸＹＺ社」、「エレベータ」、「ＡＡ−１２」の３つのキーワードが埋め込まれ、当該タグでマークアップされた文字列は「ＸＹＺ社のエレベータＡＡ−１２のページ」に設定されている。即ち、ＳＥＯパラメータ１３６の（３）タイトルタグ設定内容は、ウェブページ作成部１４１によって「ＸＹＺ社のエレベータＡＡ−１２のページ」に自動設定されている（例えば、定型句にキーワードを所定の順番で埋め込んでいく方法を利用する）。これに伴い、ＳＥＯパラメータ１３６の（４）タイトルタグキーワード使用率は、ウェブページ作成部１４１によって７４％に自動設定されている。前述したように、これらの設定は、管理者端末１０３のユーザによって手動で行われてもよい。
（Ｅ）ウェブページ１１１の＜ｈ１＞タグには、「ＸＹＺ社」、「エレベータ」、「ＡＡ−１２」の３つのキーワードが埋め込まれ、当該タグでマークアップされた文字列は「ＸＹＺ社のエレベータＡＡ−１２」に設定されている。即ち、ＳＥＯパラメータ１３６の（５）見出しタグ設定内容は、ウェブページ作成部１４１によって＜ｈ１＞が「ＸＹＺ社のエレベータＡＡ−１２」に自動設定されている（例えば、定型句にキーワードを所定の順番で埋め込んでいく方法を利用する）。これに伴い、ＳＥＯパラメータ１３６の（６）見出しタグキーワード使用率は、ウェブページ作成部１４１によって＜ｈ１＞が９３％に自動設定されている。前述したように、これらの設定は、管理者端末１０３のユーザによって手動で行われてもよい。
（Ｆ）ウェブページ１１１の＜ｈ２＞タグは、キーワードの１つである「機械室レス」に設定されている。即ち、ＳＥＯパラメータ１３６の（５）見出しタグ設定内容は、ウェブページ作成部１４１によって＜ｈ２＞が「機械室レス」に自動設定されている（例えば、キーワードをそのまま埋め込む方法を利用する）。これに伴い、ＳＥＯパラメータ１３６の（６）見出しタグキーワード使用率は、ウェブページ作成部１４１によって＜ｈ２＞が１００％に自動設定されている。前述したように、これらの設定は、管理者端末１０３のユーザによって手動で行われてもよい。
（Ｇ）ウェブページ１１１に記載された文章の中に「ＡＡ−１２は機械室レスのエレベータです」という文があり、この文が＜ｓｔｒｏｎｇ＞タグでマークアップされている。つまり、＜ｓｔｒｏｎｇ＞タグには、「エレベータ」、「ＡＡ−１２」、「機械室レス」の３つのキーワードが埋め込まれている。即ち、ＳＥＯパラメータ１３６の（７）強調タグ設定内容は、ウェブページ作成部１４１によって「ＡＡ−１２は機械室レスのエレベータです」に自動設定されている（例えば、コンテンツの中でキーワードを含む文の全体を抽出する方法を利用する）。これに伴い、ＳＥＯパラメータ１３６の（８）強調タグキーワード使用率は、ウェブページ作成部１４１によって７９％に自動設定されている。前述したように、これらの設定は、管理者端末１０３のユーザによって手動で行われてもよい。
（Ｈ）ウェブページ１１１には、フレームが使用されていない。即ち、ＳＥＯパラメータ１３６の（９）フレーム有無は、管理者端末１０３のユーザによって「フレームなし」に設定されている。
（Ｉ）他のウェブページ１１１として、それぞれＸＹＺ社のエレベータであるＢＢ−３４、ＣＣ−５６（いずれも製品名）に関する２つのウェブページ１１１が作成されている。
【００７０】
なお、どのタグを使用するか、どのタグに何番目に入力されたキーワードを含めるか、どのタグを自動設定（この場合、定型文にキーワードを埋め込む）とし、どのタグを手動設定とするか等については、予め設定しておき、当該設定内容は記憶装置１５２に記憶されているものとする。ウェブページ作成部１４１は、設定内容を記憶装置１５２から読み込んで、上記のようなウェブページ１１１を作成する。
【００７１】
ここで、設定内容（例えば、前述したＳＥＯパラメータ１３６の雛形）をＳＥＯレベルごとに用意するようにしてもよい。この場合、管理者端末１０３のユーザは、ＳＥＯレベルを指定する。そして、ウェブページ作成部１４１は、管理者端末１０３のユーザにより指定されたＳＥＯレベルに対応する設定内容を記憶装置１５２から読み込んで、上記のようなウェブページ１１１を作成する。例えば、ウェブページ作成部１４１は、指定されたＳＥＯレベルが「高」であれば、上記（Ｃ）〜（Ｉ）の全てに該当するウェブページ１１１を作成する。一方、指定されたＳＥＯレベルが「低」であれば、上記（Ｃ）〜（Ｉ）のいずれにも該当しないウェブページ１１１を作成する。そして、指定されたＳＥＯレベルが「高」と「低」との間であれば、そのレベルの高さに応じて、上記（Ｃ）〜（Ｉ）の一部のみに該当するウェブページ１１１を作成する。あるいは、上記（Ｃ）〜（Ｉ）の内容をＳＥＯレベルに合わせて調整する。ウェブページ作成部１４１は、管理者端末１０３のユーザによりＳＥＯレベルが指定されない場合、あるいは、ウェブページ１１１を新規作成する場合は、ＳＥＯレベル「高」に対応する設定内容を記憶装置１５２から読み込んで、その内容に従ったウェブページ１１１を作成するようにしてもよい。
【００７２】
上記のように、ウェブページ作成部１４１は、ＳＥＯレベルごとに、どのようなタグ（予め決めておいたタグ、あるいは、管理者端末１０３のユーザにより指定されたタグ）にどのようなキーワード（予め決めておいたキーワード、あるいは、管理者端末１０３のユーザにより指定されたキーワード）を埋め込むかを定義する定義情報（設定内容）を予め記憶装置１５２に記憶しておいてもよい。この場合、ウェブページ作成部１４１は、ＳＥＯレベルを管理者端末１０３のユーザに指定させ、そのＳＥＯレベルに対応する定義情報を記憶装置１５２から読み取る。そして、ウェブページ作成部１４１は、読み取った定義情報で定義されたタグに当該定義情報で定義されたキーワードを埋め込んだウェブページ１１１を作成する。
【００７３】
図４のステップＳ１０２において、ウェブページ公開部１４２は、ウェブページ作成部１４１によりウェブページ１１１が作成される度に、インターネット１０４に接続されたウェブサーバ１０２に当該ウェブページ１１１を通信装置１５３によりアップロードして公開する。
【００７４】
図５は、ＳＥＯレベルを調節する際のウェブページ作成装置１０１の動作（本実施の形態に係るウェブページ作成方法、本実施の形態に係るウェブページ作成プログラムの処理手順）を示すフローチャートである。
【００７５】
図５のステップＳ２０１において、管理者端末１０３のユーザが、ウェブページ公開部１４２により公開された複数のウェブページ１１１のうち、他のウェブページ１１１よりアクセス数を減らしたいウェブページ１１１がある場合、キーワード補正部１４３は、そのウェブページ１１１を対象ページとして管理者端末１０３のユーザに指定させ、当該対象ページの所定のタグに埋め込まれたキーワードを処理装置１５１により補正する。例えば、キーワード補正部１４３は、前述したＳＥＯパラメータ１３６のうち、（２）ページキーワード、（３）タイトルタグ設定内容、（５）見出しタグ設定内容、（７）強調タグ設定内容の少なくともいずれかを、管理者端末１０３のユーザに指定させ、指定されたＳＥＯパラメータ１３６を変更する。そして、キーワード補正部１４３は、ウェブページ１１１を、変更したＳＥＯパラメータ１３６を反映したものに更新する。キーワードの補正方法として、具体的には、キーワード補正部１４３は、対象ページの所定のタグに埋め込まれたキーワードを上位概念のキーワードに変更する。例えば、対象ページの＜ｍｅｔａ＞タグに、「エレベータ」というキーワードが埋め込まれていた場合、これを「ビル設備」に変更する。即ち、キーワード補正部１４３は、ＳＥＯパラメータ１３６の（２）ページキーワードが「エレベータ」に設定されていたのを「ビル設備」に変更する。これにより、対象ページに関して、競合するウェブサイトの数が増えることになる（「エレベータ」より「ビル設備」に関連するウェブサイトの数の方が多いと考えられる）ため、対象ページのＳＥＯレベルを下げることができる。なお、キーワード補正部１４３は、「エレベータ」の上位概念のキーワードが「ビル設備」であることを予め記憶装置１５２に記憶しておいてもよいし、「エレベータ」の上位概念のキーワードとして「ビル設備」というキーワードを管理者端末１０３のユーザに入力させてもよい。ここでは、ＳＥＯパラメータ１３６の（２）ページキーワードのみについて例を挙げたが、キーワード補正部１４３は、ＳＥＯパラメータ１３６の（３）、（５）、（７）についても、同様の変更を行う。
【００７６】
キーワード補正部１４３は、対象ページを管理者端末１０３のユーザに２つ以上指定させ、当該対象ページの所定のタグに埋め込まれたキーワードを一括して補正してもよい。キーワードの補正方法として、具体的には、キーワード補正部１４３は、２つ以上の対象ページの所定のタグに埋め込まれたキーワードを一括して共通のキーワードに変更してもよい。例えば、ＸＹＺ社のエレベータであるＡＡ−１２、ＢＢ−３４、ＣＣ−５６に関する３つのウェブページ１１１が対象ページであり、３つの対象ページの＜ｍｅｔａ＞タグに、「ＡＡ−１２」、「ＢＢ−３４」、「ＣＣ−５６」というキーワードがそれぞれ埋め込まれていたとする。この場合、それぞれのキーワードを一括して「エレベータ」に変更する。即ち、キーワード補正部１４３は、３つのウェブページ１１１についてＳＥＯパラメータ１３６の（２）ページキーワードを一斉に「エレベータ」に変更する。これにより、３つの対象ページのＳＥＯレベルを一斉に下げることができる。なお、この例では、「ＡＡ−１２」、「ＢＢ−３４」、「ＣＣ−５６」というキーワードを単に別のキーワードに一括して変更するのではなく、「エレベータ」という上位概念のキーワードに変更している。このため、対象ページのＳＥＯレベルを下げる効果が一層高まることが期待される。また、キーワード補正部１４３は、２つ以上の対象ページの所定のタグに埋め込まれたキーワードを一括して削除してもよい。例えば、上記の例と同様に、ＸＹＺ社のエレベータであるＡＡ−１２、ＢＢ−３４、ＣＣ−５６に関する３つのウェブページ１１１が対象ページであり、３つの対象ページの＜ｍｅｔａ＞タグに、「ＡＡ−１２」、「ＢＢ−３４」、「ＣＣ−５６」というキーワードがそれぞれ埋め込まれていたとする。また、３つの対象ページの＜ｍｅｔａ＞タグに、「エレベータ」というキーワードが共通して埋め込まれていたとする。この場合、「ＡＡ−１２」、「ＢＢ−３４」、「ＣＣ−５６」、及び、「エレベータ」の全てのキーワード（一部のキーワードのみでもよい）を一括して削除する。即ち、キーワード補正部１４３は、３つのウェブページ１１１についてＳＥＯパラメータ１３６の（２）ページキーワードを一斉に「設定なし」に変更する。これにより、３つの対象ページのＳＥＯレベルを一斉に下げることができる。なお、この例において、一部のキーワードのみを削除する場合には、「エレベータ」というキーワードを残し、「ＡＡ−１２」、「ＢＢ−３４」、「ＣＣ−５６」という下位概念のキーワードを削除することが望ましい。これにより、対象ページのＳＥＯレベルを下げる効果が十分に得られることが期待される。
【００７７】
図５のステップＳ２０２において、レイアウト補正部１４４は、ステップＳ２０１で指定された対象ページのレイアウトを、１つ以上のフレームで構成したレイアウトに処理装置１５１により変更する。即ち、レイアウト補正部１４４は、ＳＥＯパラメータ１３６の（９）フレーム有無を「フレームなし」から「フレームあり」に変更し、ウェブページ１１１を、変更したＳＥＯパラメータ１３６を反映したものに更新する。これにより、対象ページのＳＥＯレベルを、さらに下げることができる。
【００７８】
ステップＳ２０１で２つ以上の対象ページが指定された場合、図５のステップＳ２０３において、ウェブページ統合部１４５は、当該２つ以上の対象ページを、より少数のウェブページに処理装置１５１により統合する。例えば、ＸＹＺ社のエレベータであるＡＡ−１２、ＢＢ−３４、ＣＣ−５６に関する３つのウェブページ１１１が対象ページであれば、これらのウェブページ１１１を１つのウェブページ１１１に統合する。これにより、アクセシビリティの評価項目に該当する割合を下げることができる場合には、対象ページのＳＥＯレベルを、さらに下げることができる。
【００７９】
なお、ステップＳ２０１において、キーワード補正部１４３は、対象ページとともに、当該対象ページのＳＥＯレベルをユーザに指定させて、当該対象ページの所定のタグに埋め込まれたキーワードを、指定されたＳＥＯレベルに応じて補正してもよい。例えば、キーワード補正部１４３は、指定されたＳＥＯレベルが「高」であれば、対象ページが上記（Ｃ）〜（Ｉ）の全てに該当するウェブページ１１１となるように当該対象ページを変更する。一方、指定されたＳＥＯレベルが「低」であれば、上記（Ｃ）〜（Ｉ）のいずれにも該当しないウェブページ１１１となるように当該対象ページを変更する。そして、指定されたＳＥＯレベルが「高」と「低」との間であれば、そのレベルの高さに応じて、上記（Ｃ）〜（Ｉ）の一部のみに該当するウェブページ１１１となるように当該対象ページを変更する。あるいは、上記（Ｃ）〜（Ｉ）の内容をＳＥＯレベルに合わせて調整する。ステップＳ２０２及びＳ２０３についても同様である。つまり、前述したように、設定内容（例えば、前述したＳＥＯパラメータ１３６の雛形）をＳＥＯレベルごとに用意する場合、管理者端末１０３のユーザは、ＳＥＯレベルを指定する。そして、キーワード補正部１４３、レイアウト補正部１４４、ウェブページ統合部１４５は、管理者端末１０３のユーザにより指定されたＳＥＯレベルに対応する設定内容を記憶装置１５２から読み込んで、その設定内容に従ってＳＥＯパラメータ１３６を変更する。例えば、ＳＥＯパラメータ１３６の（２）ページキーワード、（３）タイトルタグ設定内容、（５）見出しタグ設定内容、（７）強調タグ設定内容について、ＳＥＯレベル「高」に対応する設定内容では、上位概念から下位概念までのキーワードをまんべんなくタグに埋め込むようにし、より低いＳＥＯレベルに対応する設定内容ほど、より上位概念のキーワードを残して、より下位概念のキーワードを除外し、ＳＥＯレベル「低」に対応する設定内容では、キーワードの中で最も上位概念のキーワードのみを残すようにする。あるいは、ＳＥＯパラメータ１３６の（２）ページキーワード、（３）タイトルタグ設定内容、（５）見出しタグ設定内容、（７）強調タグ設定内容について、ＳＥＯレベル「高」に対応する設定内容では、下位概念のキーワードをタグに埋め込むようにし、より低いＳＥＯレベルに対応する設定内容ほど、より上位概念のキーワードをタグに埋め込むようにする。これにより、ステップＳ２０１において、キーワード補正部１４３は、予め用意されている設定内容に従って、ＳＥＯパラメータ１３６を自動的に変更することができるため、ＳＥＯレベルに応じたウェブページ１１１の更新を迅速かつ容易に行うことが可能となる。また、例えば、ＳＥＯパラメータ１３６の（９）フレーム有無について、ＳＥＯレベル「高」に対応する設定内容では「フレームなし」とし、ＳＥＯレベル「低」に対応する設定内容では「フレームあり」とする。これにより、ステップＳ２０２において、レイアウト補正部１４４は、予め用意されている設定内容に従って、ＳＥＯパラメータ１３６を自動的に変更することができるため、ＳＥＯレベルに応じたウェブページ１１１の更新を迅速かつ容易に行うことが可能となる。
【００８０】
以上のように、本実施の形態によれば、ＳＥＯレベルを簡単に調節することができる。即ち、ウェブページ１１１ごとのアクセス数を適度に調整するための方策が簡単に実行できる。
【符号の説明】
【００８１】
１００  ウェブサイトシステム、１０１  ウェブページ作成装置、１０２  ウェブサーバ、１０３  管理者端末、１０４  インターネット、１０５  検索エンジン、１０６  ウェブディレクトリ、１１１  ウェブページ、１２１  コンテンツ作成機能、１２２  ＳＥＯパラメータ設定機能、１２３  ＳＥＯパラメータ反映機能、１２４  ウェブディレクトリ登録情報生成機能、１２５  コンテンツウェブサーバ展開機能、１３１  コンテンツＨＴＭＬ、１３２  コンテンツＸＭＬ、１３３  コンテンツ素材、１３４  スタイルシート、１３５  テンプレート、１３６  ＳＥＯパラメータ、１３７  ウェブディレクトリ登録情報、１４１  ウェブページ作成部、１４２  ウェブページ公開部、１４３  キーワード補正部、１４４  レイアウト補正部、１４５  ウェブページ統合部、１５１  処理装置、１５２  記憶装置、１５３  通信装置、９０１  ＬＣＤ、９０２  キーボード、９０３  マウス、９０４  ＦＤＤ、９０５  ＣＤＤ、９０６  プリンタ、９１１  ＣＰＵ、９１２  バス、９１３  ＲＯＭ、９１４  ＲＡＭ、９１５  通信ボード、９２０  ＨＤＤ、９２１  オペレーティングシステム、９２２  ウィンドウシステム、９２３  プログラム群、９２４  ファイル群。
【図１】
2010237903.tif 000003
【図２】
2010237903.tif 000004
【図３】
2010237903.tif 000005
【図４】
2010237903.tif 000006
【図５】
2010237903.tif 000007